(57)【要約】【課題】簡易な構成でハザードランプの消し忘れを防止することができる非常点滅表示装置を提供する。【解決手段】非常点滅表示灯の状態を検出する状態検出部と、車両状態を取得する車両状態取得部と、車両状態に基づいて、非常点滅表示灯の状態を反映した状態警告を出力する警告出力部と、を備える。【選択図】図１
2015229367.tif 000002
【特許請求の範囲】
【請求項１】
非常点滅表示灯の状態を取得する状態取得部と、
車両状態を取得する車両状態取得部と、
前記車両状態に基づいて、前記非常点滅表示灯の状態を反映した状態警告を出力する警告出力部と、
を備えることを特徴とする非常点滅表示装置。
【請求項２】
前記車両状態に基づいて、車両が走行状態か否かを判定する判定部を備え、
前記車両が走行状態であると判定し、かつ、前記非常点滅表示灯が作動状態であるとき、前記警告出力部は前記状態警告を出力する請求項１に記載の非常点滅表示装置。
【請求項３】
前記車両状態に基づいて、車両が走行状態か否かを判定する判定部を備え、
前記車両が走行状態でないと判定したときは、前記非常点滅表示灯が作動状態であるときに、前記警告出力部は前記状態警告を出力しない請求項１または請求項２に記載の非常点滅表示装置。
【請求項４】
前記車両状態に基づいて、車両の乗員の降車意思の有無を判定する降車意思判定部を備え、
前記車両が走行状態でないと判定し、かつ前記降車意思があると判定し、さらに、前記非常点滅表示灯が作動状態であるとき、前記警告出力部は前記状態警告を出力する請求項１ないし請求項３のいずれか１項に記載の非常点滅表示装置。
【請求項５】
前記車両の車室内の乗員の有無を反映した乗員状態を取得する乗員状態取得部を備え、
前記車室内に乗員を検出しないとき、前記警告出力部は前記状態警告の出力を停止する請求項４に記載の非常点滅表示装置。
【請求項６】
前記車両の車室内の乗員の有無を反映した乗員状態を取得する乗員状態取得部を備え、
前記車室内に乗員を検出し、かつ前記非常点滅表示灯が作動停止状態になったとき、予め定められた操作入力待ち時間の間、前記警告出力部は前記状態警告の出力を継続する請求項４または請求項５に記載の非常点滅表示装置。
【請求項７】
前記操作入力待ち時間を経過しても前記非常点滅表示灯が作動状態にならないとき、前記警告出力部は前記状態警告の出力を停止する請求項６に記載の非常点滅表示装置。
【請求項８】
前記操作入力待ち時間が経過する前に、前記非常点滅表示灯が作動状態になったとき、前記警告出力部は前記状態警告の出力を停止する請求項６または請求項７に記載の非常点滅表示装置。
【請求項９】
予め定められた作動時間後に、前記非常点滅表示灯の作動を停止させる制御出力部を備える請求項８に記載の非常点滅表示装置。
【発明の詳細な説明】
【技術分野】
【０００１】
本発明は、非常点滅表示装置に関する。
【背景技術】
【０００２】
車両の非常点滅表示灯（ハザードランプともいう）は、渋滞や故障などの非常事態を周囲に知らせることができる。車両の使用者が、ハザードスイッチをオン状態にするだけで、エンジン停止時でもハザードランプを点滅させることができる。また、車の使用者が車から離れても、ハザードランプを点滅させ続けることができる。
【０００３】
しかし、非常点滅表示灯は、ハザードスイッチをオフ状態にしない限り、バッテリが上がるまで点滅し続ける。そこで、車両を使用しないときには作動することがない車両用非常点滅表示装置が考案されている（特許文献１参照）。
【先行技術文献】
【特許文献】
【０００４】
【特許文献１】特開平１０−０５３１７５号公報
【発明の概要】
【発明が解決しようとする課題】
【０００５】
特許文献１では、メインスイッチに、新たにパーキング位置を設ける必要があり、既存の車両には適用できない。また、ハザードランプの消し忘れを防止することはできない。
【０００６】
上記問題点を背景として、本発明は、簡易な構成でハザードランプの消し忘れを防止することができる非常点滅表示装置を提供することを目的とする。
【課題を解決するための手段】
【０００７】
上記課題を解決するための非常点滅表示装置は、非常点滅表示灯の状態を取得する状態取得部と、車両状態を取得する車両状態取得部と、車両状態に基づいて、非常点滅表示灯の状態を反映した状態警告を出力する警告出力部と、を備える。
【発明の効果】
【０００８】
本発明は、非常点滅表示灯を非常事態で使用するのか、単に注意喚起程度で使用するのかを、車両の使用者が決定できるようにしたものである。すなわち、非常点滅表示灯を作動後、車両の状態（走行中か全員降車したか等）に応じて、非常点滅表示灯が作動中であることを通知または警告し、以降の処置（作動停止、所定時間後に作動停止、作動を継続）を乗員に選択させる。上記構成によって、車両の使用者に非常点滅表示灯の作動状態を認識させることができ、消灯忘れに起因するバッテリ上がりを防止できる。また、スイッチ等の改造は不要なため、構成も簡易となり、既存の車両への取り付けも比較的容易に行うことができる。
【図面の簡単な説明】
【０００９】
【図１】本発明の非常点滅表示装置の概略図。
【図２】非常点滅表示制御処理を説明するフロー図。
【図３】走行時の警告制御処理を説明するフロー図。
【図４】停車時の警告制御処理を説明するフロー図。
【発明を実施するための形態】
【００１０】
図１のように、非常点滅表示装置１は、ハザードランプの消し忘れ防止の警告を行う警告ＥＣＵ１１、警告ＥＣＵ１１に接続され、ハザードランプの点滅制御を行うハザードＥＣＵ２１を含む。警告ＥＣＵ１１とハザードＥＣＵ２１を一体化してもよい。ただし、非常点滅表示装置１は、既存のハザードＥＣＵとハザードスイッチ（ＳＷ）との間に、警告ＥＣＵを介挿した構成であるので、警告ＥＣＵ１１とハザードＥＣＵ２１を別体構成とした方が、既存の車両への後付が容易となる。
【００１１】
警告ＥＣＵ１１は、制御部１２（本発明の判定部、降車意思判定部）、および制御部１２に接続された信号入出力回路（Ｉ／Ｏ）１３（本発明の状態取得部、車両状態取得部、乗員状態取得部）、トランジスタＴｒ１、Ｔｒ２を含む。警告ＥＣＵ１１には、ハザードＳＷ１５、車両状態検出部１６、乗員検出部１７、警告部１８が接続される。
【００１２】
制御部１２は、周知のＣＰＵ、メモリ、および周辺回路（いずれも図示せず）を含むコンピュータとして構成される。ＣＰＵがメモリに記憶された制御プログラムを実行することで、非常点滅表示装置１の各種機能を実現する。
【００１３】
Ｔｒ１（本発明の制御出力部）は、制御部１２からの制御指令に基づいて、ハザードランプ２４（右：２４ａ、左：２４ｂの総称、以下同じ）の、オン（点滅）／オフ（消灯）を制御するための信号を出力する。すなわち、従来のハザードＳＷと同等の役割を果たす。
【００１４】
Ｔｒ２（本発明の警告出力部）は、制御部１２からの制御指令に基づいて、警告部１８における警告の出力／停止を制御するための信号を出力する。
【００１５】
ハザードＳＷ１５は、例えば、周知のプッシュロック式スイッチ、スライドスイッチ、シーソースイッチ、タッチ（あるいは押圧式）スイッチのいずれかであり、車両の仕向地の法規に適合したものを用いる。ハザードＳＷ１５の状態（オン／オフ）から、ハザードランプ２４の作動状態を判定できる。
【００１６】
車両状態検出部１６は、以下のうちの少なくとも一つを含む。これらは、他の車両用装置に用いられているものを取得する。検出した車両状態は、例えば、車内ＬＡＮを介して警告ＥＣＵ１１に出力する。
・車両の速度を検出する車速センサ。
・車両のシフトレバーの位置を検出するシフトポジションセンサ。
・車両のパーキングブレーキの作動状態を検出するパーキングブレーキスイッチ。
・車両の原動機（エンジンおよびモータのうちの少なくとも一方）の回転数を検出する回転数センサ。
・車両の原動機の始動状態を検出するイグニッションＳＷ（スイッチ）。
・車両のドアの開閉状態を検出するドア開閉スイッチ。
・車両のドアのロック状態（施錠／解錠）を検出するドアロック装置。
【００１７】
乗員検出部１７は、車両の室内の乗員の有無（乗員状態）を検出するためのもので、以下のうちの少なくとも一つを含む。検出した状態は、Ｉ／Ｏ１３を介して制御部１２に出力する。
・座席に備えられ乗員が着座しているか否かを検出する着座センサ。
・車室内を撮影するカメラ（撮影画像の画像処理を行う画像処理部を含む）。
【００１８】
警告部１８は、例えば、ＬＣＤあるいはＬＥＤの表示部（視覚に訴えるもの）、ブザーの音響信号出力部（聴覚に訴えるもの）のうちの少なくとも一つを含む。警告部１８として、メータ装置あるいはナビゲーション装置に含まれる、表示部あるいは音響信号出力部を用いてもよい。制御部１２は、警告部１８に対し、警告の実施／停止のための制御指令および、警告メッセージ等のデータを出力する。警告は、例えば、ハザードランプ２４が作動状態であるが、この状態を継続してもよいかどうかを確認する内容である。
【００１９】
ハザードＥＣＵ２１は、リレー制御部２２、およびリレー制御部２２に接続された半導体リレー２３ａ、２３ｂを含む。ハザードＥＣＵ２１には、半導体リレー（２３ａ、２３ｂの総称、以下同じ）を介してハザードランプ２４ａ、２４ｂ（本発明の非常点滅表示灯）が接続されている。リレー制御部２２は、制御部１２と同様に、周知のコンピュータとして構成される。
【００２０】
Ｔｒ１がオン状態になると、リレー制御部２２はこれを検出して、半導体リレーにオン信号を出力する。半導体リレーは、オン信号が入力されると、所定の周期でオン状態およびオフ状態を繰り返し、これをランプ点滅信号としてハザードランプ２４に出力する。これにより、ハザードランプ２４を同時に点滅させる。
【００２１】
一方、Ｔｒ１がオフ状態になると、リレー制御部２２は、半導体リレーにオフ信号を出力する。半導体リレーは、オフ信号が入力されると、オフ状態となり、これをランプ消灯信号としてハザードランプ２４に出力する。これにより、ハザードランプ２４を消灯させる。
【００２２】
図２の、制御部１２が実行する、非常点滅表示制御処理を説明する。まず、非常点滅表示装置１の初期化を行う（Ｓ１１）。初期化のタイミングは、例えば、バッテリ（＋Ｂ）接続時である。初期化では、ハザードランプ２４の作動停止（すなわち、点滅停止あるいは消灯）、状態警告出力の停止、操作入力待ちタイマ（詳細は後述）のゼロクリアを行う。
【００２３】
次に、ハザードＳＷ１５の状態を検出し、ハザードＳＷ１５がオン状態になったか否かを判定する。ハザードＳＷ１５がオン状態になったとき（Ｓ１２：Ｙｅｓ）、上述のように、Ｔｒ１をオン状態として、リレー制御部２２にハザードランプを作動（すなわち、点滅）させる（Ｓ１３）。
【００２４】
次に、車両状態を取得する（Ｓ１４）。そして、取得した車両状態に基づき、以下のうちの少なくとも一つを用いて、車両が走行状態か否かを判定する。
・車両の速度が０ｋｍ／ｈでないとき、走行状態と判定。
・シフトレバーの位置が「パーキング」でないとき、走行状態と判定。
・パーキングブレーキが作動状態でないとき、走行状態と判定。
・原動機の回転数が、アイドリング回転数を超えるとき、走行状態と判定。
・イグニッションＳＷがオン状態のとき、車両が走行状態と判定。
【００２５】
車両が走行状態のとき（Ｓ１５：Ｙｅｓ）、走行時の警告制御処理を実行する（Ｓ１８、後述）。その後、本処理を終了する。
【００２６】
一方、車両が走行状態でない（駐車状態あるいは停車状態）のとき（Ｓ１５：Ｎｏ）、取得した車両状態に基づき、以下のうちの少なくとも一つを用いて、乗員の降車意思の有無を判定する。
・ドアのいずれかが閉状態から開状態に遷移したとき、降車意思があると判定。
・ドアロックが施錠状態から解錠状態に遷移したとき、降車意思があると判定。
【００２７】
降車意思がないとき（Ｓ１６：Ｎｏ）、本処理を終了する。一方、降車意思があるとき（Ｓ１６：Ｙｅｓ）、停車時の警告制御処理を実行する（Ｓ１７、後述）。その後、本処理を終了する。
【００２８】
図３を用いて、図２のステップＳ１８に相当する、走行時の警告制御処理を説明する。まず、警告部１８に対して状態警告を実施させるための制御指令およびデータを出力する（Ｓ３１）。
【００２９】
ステップＳ３１が、「車両状態に基づいて、車両が走行状態か否かを判定する判定部を備え、車両が走行状態であると判定し、かつ、非常点滅表示灯が作動状態であるとき、警告出力部は状態警告を出力する」ものである。本構成によって、非常点滅表示灯を作動させたまま駐停車状態から走行状態に遷移したとき、その状態を乗員に警告できる。
【００３０】
次に、車両状態検出部１６から車両状態を取得する（Ｓ３２）。そして、取得した車両状態に基づき、図２のステップＳ１５と同様に、車両が走行状態か否かを判定する。車両が走行状態でないとき（Ｓ３３：Ｎｏ）、警告部１８に対して状態警告を停止させるための制御指令およびデータを出力する（Ｓ３７）。その後、図２のステップＳ１６へ進む。
【００３１】
ステップＳ３７が、「車両状態に基づいて、車両が走行状態か否かを判定する判定部を備え、車両が走行状態でないと判定したときは、非常点滅表示灯が作動状態であるときに、警告出力部は状態警告を出力しない」ものである。本構成によって、駐停車状態であることを周囲に報知するための非常点滅表示灯の作動については状態警告を出力しないので、乗員に不快感や煩わしさが生ずることを防止できる。
【００３２】
一方、車両が走行状態のとき（Ｓ３３：Ｙｅｓ）、ハザードＳＷ１５の状態を取得する。そして、ハザードＳＷ１５がオン状態のとき（Ｓ３４：Ｎｏ）、ステップＳ３１へ戻り、状態警告を継続する。
【００３３】
一方、ハザードＳＷ１５がオフ状態のとき（Ｓ３４：Ｙｅｓ）、Ｔｒ１をオフ状態とし、ハザードランプ２４を消灯（作動停止）させる（Ｓ３５）。次に、警告部１８に対して状態警告を停止させるための制御指令およびデータを出力する（Ｓ３６）。その後、本処理を終了する。
【００３４】
図４を用いて、図２のステップＳ１７に相当する、停車時の警告制御処理を説明する。まず、警告部１８に対して状態警告を実施させるための制御指令およびデータを出力する（Ｓ５１）。
【００３５】
ステップＳ５１が、「車両状態に基づいて、車両の乗員の降車意思の有無を判定する降車意思判定部を備え、車両が走行状態でないと判定し、かつ降車意思があると判定し、さらに、非常点滅表示灯が作動状態であるとき、警告出力部は状態警告を出力する」ものである。本構成によって、乗員に対して、非常点滅表示灯を作動状態のままにして降車してもよいかどうかの注意喚起を行うことができる。
【００３６】
次に、乗員状態を取得する（Ｓ５２）。そして、取得した乗員状態に基づき、以下のうちの少なくとも一つを用いて、乗員の全員が降車したか否かを判定する。
・全ての着座センサが乗員を検知しないとき、乗員の全員が降車したと判定。
・撮影画像に乗員と推定できる画像が含まれていないとき、乗員の全員が降車したと判定。
【００３７】
乗員の全員が降車したと判定したとき（Ｓ５３：Ｙｅｓ）、警告部１８に対して状態警告を停止させるための制御指令およびデータを出力する（Ｓ６０）。その後、本処理を終了する。一方、乗員の全員が降車していないと判定したとき（Ｓ５３：Ｎｏ）、ハザードＳＷ１５の状態を取得する。そして、ハザードＳＷ１５がオン状態のとき（Ｓ５４：Ｎｏ）、ステップＳ５１へ戻り、状態警告を継続する。
【００３８】
ステップＳ６０が、「車両の車室内の乗員の有無を反映した乗員状態を取得する乗員状態取得部を備え、車室内に乗員を検出しないとき、警告出力部は状態警告の出力を停止する」ものである。本構成によって、非常点滅表示灯を作動状態のままにして降車したい乗員の意思を反映できる。
【００３９】
一方、ハザードＳＷ１５がオフ状態のとき（Ｓ５４：Ｙｅｓ）、Ｔｒ１をオフ状態とし、ハザードランプ２４を消灯させる（Ｓ５５）。次に、ハザードＳＷ１５の操作入力待ちタイマを作動させる（Ｓ５６）。操作入力待ちタイマの作動中に、ハザードＳＷ１５のオン操作がなく（Ｓ５７：Ｎｏ）、操作入力待ちタイマがタイムアウトしたとき（Ｓ５８：Ｙｅｓ）、警告部１８に対して状態警告を停止させるための制御指令およびデータを出力する（Ｓ５９）。その後、本処理を終了する。
【００４０】
ステップＳ５６が、「車両の車室内の乗員の有無を反映した乗員状態を取得する乗員状態取得部を備え、車室内に乗員を検出し、かつ非常点滅表示灯が作動停止状態になったとき、予め定められた操作入力待ち時間の間、警告出力部は状態警告の出力を継続する」ものである。本構成によって、非常点滅表示灯を停止状態にして降車したい乗員の意思を反映できる。
【００４１】
ステップＳ５９が、「操作入力待ち時間を経過しても非常点滅表示灯が作動状態にならないとき、警告出力部は状態警告の出力を停止する」ものである。本構成によって、非常点滅表示灯を停止状態のままにして降車したいか否かを確認できる。
【００４２】
一方、操作入力待ちタイマの作動中に、ハザードＳＷ１５のオン操作があったとき（Ｓ５７：Ｙｅｓ）、操作入力待ちタイマを初期化した後、ハザードランプ２４を作動させる（Ｓ６１）。次に、警告部１８に対して状態警告を停止させるための制御指令およびデータを出力する（Ｓ６２）。次に、ハザードタイマを作動させる（Ｓ６３）。
【００４３】
ステップＳ６２が、「操作入力待ち時間が経過する前に、非常点滅表示灯が作動状態になったとき、警告出力部は状態警告の出力を停止する」ものである。本構成によって、非常点滅表示灯を作動状態にしておきたい乗員の意思を反映できる。
【００４４】
ハザードタイマの作動中に、ハザードＳＷ１５のオフ操作がなく（Ｓ６４：Ｎｏ）、ハザードタイマがタイムアウトしたとき（Ｓ６５：Ｙｅｓ）、ハザードランプ２４を消灯させる（Ｓ６６）。その後、本処理を終了する。
【００４５】
ステップＳ６６が、「予め定められた作動時間後に、非常点滅表示灯の作動を停止させる制御出力部を備える」ものである。一旦、非常点滅表示灯を停止状態にした後に、再度作動状態にしたということは、非常点滅表示灯をずっと作動状態にはしておきたくない、すなわち、暫く作動状態にしておきたいと見なすことができる。本構成によって、非常点滅表示灯を暫くの間作動状態にして降車したい乗員の意思を反映できる。
【００４６】
また、ハザードタイマの作動中に、ハザードＳＷ１５のオフ操作があったとき（Ｓ６４：Ｙｅｓ）、ハザードタイマを初期化した後、ハザードランプ２４を消灯させる（Ｓ６６）。その後、本処理を終了する。
【００４７】
以上、本発明の実施の形態を説明したが、これらはあくまで例示にすぎず、本発明はこれらに限定されるものではなく、特許請求の範囲の趣旨を逸脱しない限りにおいて、当業者の知識に基づく種々の変更が可能である。
【符号の説明】
【００４８】
１  非常点滅表示装置
１１  警告ＥＣＵ
１２  制御部（判定部、降車意思判定部）
１３  信号入出力回路（Ｉ／Ｏ、状態取得部、車両状態取得部、乗員状態取得部）
Ｔｒ１  トランジスタ（制御出力部）
Ｔｒ２  トランジスタ（警告出力部）
２１  ハザードＥＣＵ
２２  リレー制御部
２４ａ、２４ｂ  ハザードランプ（非常点滅表示灯）
【図１】
2015229367.tif 000003
【図２】
2015229367.tif 000004
【図３】
2015229367.tif 000005
【図４】
2015229367.tif 000006